(57)【要約】【課題】  比較的簡易な構成で且つ高い精度で多数の測定器による同時測定が可能な多点同時測定装置を提供する。【解決手段】  複数の測定箇所に測定器を設置して振動や騒音などの測定を同時に開始させる装置であって、手を叩くことにより発生する音を検出して電気信号を出力するマイクロホン３と、このマイクロホン３が出力した電気信号を演算処理して測定開始トリガー信号を測定器に出力する演算処理手段７を備えた。演算処理手段７は、増幅器８、バンドパスフィルタ９、レベル比較器１０、カウンタ１１から構成される。【選択図】        図２
2005069855.tif 000002
【特許請求の範囲】
【請求項１】
複数の測定箇所に測定器を設置して振動や騒音などの測定を同時に開始させる方法であって、電気音響変換器又は光電変換器を設けた前記測定器を一箇所に集めて、前記電気音響変換器又は光電変換器に対向した位置から所定レベルの音響信号又は光信号を放射し、前記前記電気音響変換器又は光電変換器の出力信号を前記測定器の測定開始トリガー信号とすることを特徴とする多点同時測定方法。
【請求項２】
複数の測定箇所に測定器を設置して振動や騒音などの測定を同時に開始させる装置であって、音響信号又は光信号を放射する音響又は光放射手段と、この音響又は光放射手段が放射した音響信号又は光信号を検出して電気信号を出力する電気音響変換器又は光電変換器と、この電気音響変換器又は光電変換器が出力した電気信号を演算処理して測定開始トリガー信号を前記測定器に出力する演算処理手段を備えたことを特徴とする多点同時測定装置。
【発明の詳細な説明】
【技術分野】
【０００１】
本発明は、複数の測定箇所に地震計、振動計や騒音計などの測定器を設置して、振動や騒音などの測定を同時に開始させるための多点同時測定方法及びその装置に関する。
【背景技術】
【０００２】
地震計、振動計や騒音計などの測定器を用いた測定では、多数の測定箇所に測定器を設置し、これらの測定器で同時に測定を開始し、その測定結果を分析する多点同時測定が行われている。この多点同時測定における測定開始の同時性は、観測・分析結果に直接影響を与えるので、測定開始時期のばらつきとして数十ｍsec以下の極めて高い精度が要求される。
【０００３】
従来、このような同時性を達成するために、有線によって各測定器に同一の測定開始信号を入力する方法、各測定器に時計を搭載して同一の時刻で各測定器に測定開始信号を入力する方法、各測定器に電波時計またはＧＰＳを搭載する方法が知られている。
【発明の開示】
【発明が解決しようとする課題】
【０００４】
しかし、有線による方法では、各測定器への結線が必要で、結線の端部にはスイッチ又は信号発生器などを接続する必要があり、煩雑である。また、時計を搭載する方法では、多数の測定器の時刻合せを手動で行うため、時刻のばらつきが発生する。更に、電波時計またはＧＰＳを搭載する方法では、構造物内などの電波が届かない場所ではアンテナを屋外に設ける必要があり、コスト高になる。
【０００５】
本発明は、従来の技術が有するこのような問題点に鑑みてなされたものであり、その目的とするところは、比較的簡易な構成で且つ高い精度で多数の測定器による同時測定が可能な多点同時測定方法及びその装置を提供しようとするものである。
【課題を解決するための手段】
【０００６】
上記課題を解決すべく請求項１に係る発明は、複数の測定箇所に測定器を設置して振動や騒音などの測定を同時に開始させる方法であって、電気音響変換器又は光電変換器を設けた前記測定器を一箇所に集めて、前記電気音響変換器又は光電変換器に対向した位置から所定レベルの音響信号又は光信号を放射し、前記前記電気音響変換器又は光電変換器の出力信号を前記測定器の測定開始トリガー信号とする
請求項２に係る発明は、複数の測定箇所に測定器を設置して振動や騒音などの測定を同時に開始させる装置であって、音響信号又は光信号を放射する音響又は光放射手段と、この音響又は光放射手段が放射した音響信号又は光信号を検出して電気信号を出力する電気音響変換器又は光電変換器と、この電気音響変換器又は光電変換器が出力した電気信号を演算処理して測定開始トリガー信号を前記測定器に出力する演算処理手段を備えた。
【発明の効果】
【０００７】
以上説明したように本発明によれば、比較的簡易な構成で且つ高い精度で、複数の測定箇所に測定器を設置して振動や騒音などの測定を同時に開始する多点同時測定ができる。
【発明を実施するための最良の形態】
【０００８】
以下に本発明の実施の形態を添付図面に基づいて説明する。ここで、図１は本発明に係る多点同時測定装置を備えた振動計の斜視図、図２は同じく第１実施例のブロック図、図３は同じく第２実施例のブロック図、図４は同じく使用説明図、図５は同じく設置状態を示す模式図である。
【０００９】
図１に示すように、本発明に係る多点同時測定装置を備えた振動計１は、振動計本体２の前面２ａにマイクロホン３又は受光器４を設けている。５は振動センサ、６は表示器である。
【００１０】
振動計本体２に搭載されている多点同時測定装置の第１実施例は、図２に示すように、電気音響変換器としてのマイクロホン３と演算処理手段７からなる。演算処理手段７は、増幅器８、バンドパスフィルタ９、レベル比較器１０、カウンタ１１から構成されている。なお、１２は振動計１の測定処理部である。
【００１１】
マイクロホン３は、手などを叩いた時に発生する音や発音器が放射する音を効率よく集音することができるように、振動計本体２の前面２ａに装着されている。増幅器８は、マイクロホン３が集音した信号を所定のレベルまで増幅する。
【００１２】
バンドパスフィルタ９は、手などを叩いた時に発生する音や発音器が放射する音が有する高域の周波数成分を通過させる。レベル比較器１０は、レベル基準値とバンドパスフィルタ９の出力レベルを比較し、バンドパスフィルタ９の出力レベルがレベル基準値を超えている場合にカウント開始信号を出力する。
【００１３】
カウンタ１１は、レベル比較器１０の出力信号によってカウンタ動作を開始し、予め設定された所定のカウント値に達すると測定開始トリガー信号を出力する。表示器６は、カウンタ１１が出力した測定開始トリガー信号を受けて測定処理部１２が測定を開始したことを表示する。
【００１４】
以上のように構成した本発明に係る多点同時測定装置の第１実施例の動作及び多点同時測定方法について説明する。
【００１５】
先ず、必要な台数の振動計１を一箇所に集める。この時、全ての振動計１のマイクロホン３を設けた前面２ａを、図４に示すように、一定方向に向ける。
【００１６】
次いで、一箇所に集めた複数の振動計１のマイクロホン３に向かって、数メートル離れた位置から手を叩く。手を叩く代わりに金属部材同士を叩いてもよいし、高域の周波数成分を有する音を放射する発音器１３を用いてもよい。
【００１７】
この時発生した音によりカウンタ１１が一斉にカウントを開始する。そして、各振動計１を、図５に示すように、建造物１４の各階の測定箇所に設置する。
【００１８】
建造物１４の各階に設置された振動計１は、カウンタ１１が予め設定されたカウント値に達すると、カウンタ１１から出力される測定開始トリガー信号により測定を開始する。なお、カウンタ１１に予め設定されるカウント値は、全ての振動計１が設置完了できる時間に相当するカウント値であればよい。
【００１９】
このように、手などを叩くことにより発生する音を利用する場合には、専用のツールを必要とせず、測定開始時期のばらつきを数ｍsec以下とする高精度の多点同時測定方法及びその装置を得ることができる。
【００２０】
次に、振動計本体２に搭載されている多点同時測定装置の第２実施例は、図３に示すように、光電変換器としての受光器４と演算処理手段１７からなる。演算処理手段１７は、波形整形器１８、カウンタ１９から構成されている。
【００２１】
受光器４は、発光器が放射する光を電気信号に変換する。波形整形器１８は、受光器４が出力した電気信号を所定周波数のデジタル信号に変換する。カウンタ１９は、波形整形器１８の出力信号によってカウンタ動作を開始し、予め設定された所定のカウント値に達すると測定開始トリガー信号を出力する。表示器６は、カウンタ１９が出力した測定開始トリガー信号を受けて測定処理部１２が測定を開始したことを表示する。
【００２２】
以上のように構成した本発明に係る多点同時測定装置の第２実施例の動作及び多点同時測定方法について説明する。
【００２３】
先ず、必要な台数の振動計１を一箇所に集めて配置する。この時、全ての振動計１の受光器４を設けた前面２ａを、図４に示すように、一定方向に向ける。
【００２４】
次いで、一箇所に集めて配置した複数の振動計１の受光器４に向かって、数メートル離れた位置から発光器１５を操作して光を受光器４に照射する。この時照射した光によりカウンタ１９が一斉にカウントを開始する。そして、各振動計１を、図５に示すように、建造物１４の各階の測定箇所に設置する。
【００２５】
建造物１４の各階に設置された振動計１は、カウンタ１９が予め設定されたカウント値に達すると、カウンタ１９から出力される測定開始トリガー信号により測定を開始する。なお、カウンタ１９に予め設定されるカウント値は、全ての振動計１が設置完了できる時間に相当するカウント値であればよい。
【００２６】
このように、第２実施例では発光器１５を必要とするが、音を用いる第１実施例より、更に高精度の多点同時測定方法及びその装置を得ることができる。
【産業上の利用可能性】
【００２７】
高層建造物における各階の振動・騒音測定や広域の多点騒音測定などにおける同時測定を比較的簡易な構成で且つ高い精度で実現することが可能である。
【図面の簡単な説明】
【００２８】
【図１】本発明に係る多点同時測定装置を備えた振動計の斜視図
【図２】本発明に係る多点同時測定装置を備えた振動計の第１実施例のブロック図
【図３】本発明に係る多点同時測定装置を備えた振動計の第２実施例のブロック図
【図４】本発明に係る多点同時測定装置を備えた振動計の使用説明図
【図５】本発明に係る多点同時測定装置を備えた振動計の設置状態を示す模式図
【符号の説明】
【００２９】
１…振動計、２…振動計本体、２ａ…振動計本体の前面、３…マイクロホン、４…受光器、５…振動センサ、６…表示器、７，１７…演算処理手段、８…増幅器、９…バンドパスフィルタ、１０…レベル比較器、１１，１９…カウンタ、１３…発音器、１４…建造物、１５…発光器、１８…波形整形器。
【図１】
2005069855.tif 000003
【図２】
2005069855.tif 000004
【図３】
2005069855.tif 000005
【図４】
2005069855.tif 000006
【図５】
2005069855.tif 000007